(57)【特許請求の範囲】
【請求項１】
原稿から得た画像データに回転処理を施す画像回転手段を具備する画像形成装置において、
前記原稿の方向を取得する原稿方向取得手段と、
前記原稿方向取得手段が取得した原稿方向と前記画像データを印刷する用紙の方向とが異なる場合に、該画像データを前記用紙の方向に合わせて自動回転する自動画像回転処理を施すか否かを複写動作開始前にあらかじめ選択する画像回転選択手段と
を具備し、
前記画像回転選択手段により自動画像回転処理を施すことが選択された場合には、前記画像データに対して自動画像回転処理を施して画像を形成し、
前記画像回転選択手段により自動画像回転処理を施さないことが選択された場合には、前記画像データに対して自動画像回転処理を施さずに画像を形成する
ことを特徴とする画像形成装置。
【請求項２】
情報の表示を行う表示手段をさらに具備し、
前記画像回転選択手段は、前記自動画像回転処理を施す場合の印刷イメージと前記自動画像回転処理を施さない場合の印刷イメージとの少なくとも一方を前記表示手段に表示する
ことを特徴とする請求項１記載の画像形成装置。
【請求項３】
情報の表示を行う表示手段をさらに具備し、
前記画像回転選択手段は、前記自動画像回転処理を施す場合の印刷イメージと前記自動画像回転処理を施さない場合の印刷イメージとを前記選択に対応して前記表示手段に表示する
ことを特徴とする請求項１記載の画像形成装置。
【請求項４】
前記画像回転選択手段により前記画像データに対して自動画像回転処理を施す選択がなされている場合に、該画像データに対する自動画像回転処理前に該自動画像回転処理の実施の確認を行う画像回転確認手段をさらに具備することを特徴とする請求項１記載の画像形成装置。
【請求項５】
情報の表示を行う表示手段をさらに具備し、
前記画像回転確認手段は、前記自動画像回転処理を施す場合の印刷イメージと前記自動画像回転処理を施さない場合の印刷イメージとの少なくとも一方を前記表示手段に表示する
ことを特徴とする請求項４記載の画像形成装置。
【請求項６】
前記印刷イメージは、前記画像データを縮小して生成されるイメージであることを特徴とする請求項５記載の画像形成装置。
【請求項７】
原稿から得た画像データに回転処理を施す画像回転手段を具備する画像形成装置の制御方法において、
前記原稿の方向と前記画像データを印刷する用紙の方向とが異なる場合に該画像データに対して自動画像回転処理を施すか否かを複写動作開始前にあらかじめ設定し、該自動画像回転処理を施すことが設定された場合には前記画像データに対して自動画像回転処理を施して画像を形成し、該自動画像回転処理を施さないことが設定された場合には前記画像データに対して自動画像回転処理を施さずに画像を形成することを特徴とする画像形成装置の制御方法。
【請求項８】
前記設定を行うに際して、前記自動画像回転処理を施す場合の印刷イメージと前記自動画像回転処理を施さない場合の印刷イメージとの少なくとも一方を表示することを特徴とする請求項７記載の画像形成装置の制御方法。
【請求項９】
前記自動画像回転処理を施す場合の印刷イメージと前記自動画像回転処理を施さない場合の印刷イメージとを前記設定を行うに際して、それぞれ表示することを特徴とする請求項７記載の画像形成装置の制御方法。
【請求項１０】
前記画像データに対する自動画像回転処理を施す設定がなされている場合に、該画像データに対して自動画像回転処理を施す前に該自動画像回転処理の実施をユーザに対して確認することを特徴とする請求項７記載の画像形成装置の制御方法。
【請求項１１】
前記確認に際して、前記自動画像回転処理を施す場合の印刷イメージと前記自動画像回転処理を施さない場合の印刷イメージとの少なくとも一方を表示することを特徴とする請求項１０記載の画像形成装置の制御方法。
【請求項１２】
前記印刷イメージは、
前記画像データを縮小して生成されるイメージであることを特徴とする請求項１１記載の画像形成装置の制御方法。
【発明の詳細な説明】
【０００１】
【発明の属する技術分野】
この発明は、画像形成装置およびその制御方法に関し、特に、原稿を読み取る等して得た画像に回転処理を施して印刷することのできる画像形成装置およびその制御方法に関する。
【０００２】
【従来の技術】
最近、複写機等の画像形成装置には、アナログ複写機に加え、ディジタルで画像処理などを行うディジタル複写機やＦＡＸ、プリンタ、スキャナ等としても使用することのできる複合機が使用されるようになった。
【０００３】
アナログ複写機で原稿の複写を行う場合には、図１２（ａ）に示すように原稿５０１と用紙５０２の方向（縦または横）が同じ場合には、複写結果５０３のように原稿５０１をそのまま複写した結果が得られる。また、図１２（ｂ）に示すように原稿５０４と用紙５０５の方向が異なる場合には、複写結果５０６のように原稿５０４とは異なる複写結果が得られることになる。
【０００４】
一方、ディジタル複写機や複合機で原稿の複写を行う場合には、図１２（ｃ）に示すように原稿５１１と用紙５１２の方向が同じ場合には、アナログ複写機の場合と同様に原稿５１１をそのまま複写した複写結果５１３が得られ、図１２（ｄ）に示すように原稿５１４と用紙５１５の方向が異なる場合にも、複写結果５１６のように原稿５１４をそのまま複写した結果が得られる。
【０００５】
このような両者の違いは、アナログ複写機が原稿の読み取りと印刷を同期処理で行うのに対し、ディジタル複写機や複合機では原稿を読み取りで得た画像データをメモリに一時記憶して印刷することが可能であるため、一時記憶したメモリに回転処理を施し、画像データの方向を用紙に合わせて出力するといったことにより生じるものである。
【０００６】
このため、アナログ複写機の場合には、同じサイズの用紙であっても縦置きと横置きで別の給紙トレイを必要とするが、ディジタル複写機（複合機）の場合には同じサイズの用紙であれば１つの給紙トレイを利用して縦横両方の画像を出力することが可能となる。ただし、ディジタル複写機の場合であっても必要に応じて（例えばホチキスなどの後処理を施す場合など）縦横別の給紙トレイを使用することになる。
【０００７】
【発明が解決しようとする課題】
上述のように、ディジタル複写機や複合機においては、原稿と用紙の方向が異なる場合にも画像回転処理を施し、両者の方向が同じ場合と同様の出力を得ることができる。
【０００８】
しかし、複写機の使用方法はユーザにより異なる場合が多く、画像回転処理の結果、必ずしもユーザが所望する結果が得られるとは限らない。例えば、原稿の一部を用紙の上部に複写し、用紙の下部は白紙のままの出力結果を得たい場合、アナログ複写機を使用すれば、原稿と用紙の方向を意図的に異ならせることで所望の結果を得ることができたが、ディジタル複写機の場合には画像回転処理が施されてしまい、所望の結果を得ることができなかった。
【０００９】
そこで、この発明は、原稿と用紙の方向が異なる場合に、画像回転処理を施すか否かをユーザが容易に設定することのできる画像形成装置およびその制御方法を提供することを目的とする。
【００１０】
【課題を解決するための手段】
上述した目的を達成するため、請求項１の発明は、原稿から得た画像データに回転処理を施す画像回転手段を具備する画像形成装置において、前記原稿の方向を取得する原稿方向取得手段と、前記原稿方向取得手段が取得した原稿方向と前記画像データを印刷する用紙の方向とが異なる場合に、該画像データを前記用紙の方向に合わせて自動回転する自動画像回転処理を施すか否かを複写動作開始前にあらかじめ選択する画像回転選択手段とを具備し、前記画像回転選択手段により自動画像回転処理を施すことが選択された場合には、前記画像データに対して自動画像回転処理を施して画像を形成し、前記画像回転選択手段により自動画像回転処理を施さないことが選択された場合には、前記画像データに対して自動画像回転処理を施さずに画像を形成することを特徴とする。
【００１１】
また、請求項２の発明では、請求項１の発明において、
情報の表示を行う表示手段をさらに具備し、
前記画像回転選択手段は、前記自動画像回転処理を施す場合の印刷イメージと前記自動画像回転処理を施さない場合の印刷イメージとの少なくとも一方を前記表示手段に表示する
ことを特徴とする。
【００１２】
また、請求項３の発明では、請求項１の発明において、
情報の表示を行う表示手段をさらに具備し、
前記画像回転選択手段は、前記自動画像回転処理を施す場合の印刷イメージと前記自動画像回転処理を施さない場合の印刷イメージとを前記選択に対応して前記表示手段に表示する
ことを特徴とする。
【００１３】
また、請求項４の発明では、請求項１の発明において、
前記画像回転選択手段により前記画像データに対して自動画像回転処理を施す選択がなされている場合に、該画像データに対する自動画像回転処理前に該自動画像回転処理の実施の確認を行う画像回転確認手段をさらに具備することを特徴とする。
【００１４】
また、請求項５の発明では、請求項４の発明において、
情報の表示を行う表示手段をさらに具備し、
前記画像回転確認手段は、前記自動画像回転処理を施す場合の印刷イメージと前記自動画像回転処理を施さない場合の印刷イメージとを前記表示手段に表示する
ことを特徴とする。
【００１５】
また、請求項６の発明では、請求項５の発明において、
前記印刷イメージは、
前記画像データを縮小して生成されるイメージであることを特徴とする。
【００１６】
また、請求項７の発明は、原稿から得た画像データに回転処理を施す画像回転手段を具備する画像形成装置の制御方法において、前記原稿の方向と前記画像データを印刷する用紙の方向とが異なる場合に該画像データに対して自動画像回転処理を施すか否かを複写動作開始前にあらかじめ設定し、該自動画像回転処理を施すことが設定された場合には前記画像データに対して自動画像回転処理を施して画像を形成し、該自動画像回転処理を施さないことが設定された場合には前記画像データに対して自動画像回転処理を施さずに画像を形成することを特徴とする。
【００１７】
また、請求項８の発明では、請求項７の発明において、
前記設定を行うに際して、前記自動画像回転処理を施す場合の印刷イメージと前記自動画像回転処理を施さない場合の印刷イメージとの少なくとも一方を表示することを特徴とする。
【００１８】
また、請求項９の発明では、請求項７の発明において、
前記自動画像回転処理を施す場合の印刷イメージと前記自動画像回転処理を施さない場合の印刷イメージとを前記設定を行うに際して、それぞれ表示することを特徴とする。
【００１９】
また、請求項１０の発明では、請求項７の発明において、
前記画像データに対する自動画像回転処理を施す設定がなされている場合に、該画像データに対して自動画像回転処理を施す前に該自動画像回転処理の実施をユーザに対して確認することを特徴とする。
【００２０】
また、請求項１１の発明では、請求項１０の発明において、
前記確認に際して、前記自動画像回転処理を施す場合の印刷イメージと前記自動画像回転処理を施さない場合の印刷イメージとの少なくとも一方を表示することを特徴とする。
【００２１】
また、請求項１２の発明では、請求項１０の発明において、
前記印刷イメージは、
前記画像データを縮小して生成されるイメージであることを特徴とする。
【００２２】
【発明の実施の形態】
以下、この発明に係る画像形成装置およびその制御方法の一実施例を添付図面を参照して詳細に説明する。
【００２３】
図１は、画像形成装置の構成を示すブロック図である。
同図において、画像形成装置１０は、画像形成装置１０の全体を制御する制御部１１と原稿のサイズや方向を取得するとともに該原稿を光学的に読み取って画像データに変換する画像読取部（ＩＩＴ：Ｉｍａｇｅ  Ｉｎｐｕｔ  Ｔｅｒｍｉｎａｌ）１２、画像を用紙上に形成して印刷出力する画像形成部（ＩＯＴ：Ｉｍａｇｅ  Ｏｕｔｐｕｔ  Ｔｅｒｍｉｎａｌ）１３、画像読取部１２が取得した画像データを一時記憶する画像記憶部１４、画像データに対して補正や回転等の各種処理を施す画像処理部１５、ユーザによる設定された画像形成装置１０の動作条件などの各種設定を記憶する設定記憶部１６、タッチパネルやキーボードなどから構成されユーザに対する情報の表示やユーザからの設定入力などを受け付けるユーザインタフェースである表示・設定部１７を具備して構成される。
この画像形成装置１０では、画像読取部１２で原稿を読み取って得た画像データを画像記憶部１４に一時的に記憶し、その後該画像データに必要な処理を画像処理部１５で施し、画像形成部１３から印刷出力する
また、この画像形成装置１０では、画像読取部１２が読み取った原稿（画像形成装置１０が複合機である場合には印刷データやＦＡＸ受信した画像データを含む）の方向と指定された用紙（図示しない給紙トレイに格納）の方向が異なる場合に、原稿を読み取って得た画像データを画像処理部１５で自動回転させるか否かをユーザが設定することができる。
【００２４】
ここで、画像データの自動回転の設定について説明する。
自動回転の設定は、タッチパネル等で構成される表示・設定部１７から行うが、表示・設定部１７のタッチパネルには、通常、図２に示す画面２０−１が表示されている。この画面２０−１は、用紙や倍率の選択、コピー濃度など基本的な設定を行うための画面であり、「基本コピー」タブ２１が押下された状態となっている。
【００２５】
この画面２０−１で、「お好みコピー」タブ２２を押下すると、タッチパネルの画面は、図３に示す画面２０−２が表示される。画面２０−２は、詳細な設定を行うための画面であり、画像の自動回転は画面２０−２中の「自動画像回転ボタン」２３を押下することにより行う。「自動画像回転ボタン」２３は、画像の自動回転が設定されていない状態では、図４（ａ）に示すようにその上部に画像の自動回転がどのような処理を行うものかを示すアイコンが表示され、画像の自動回転が設定されている状態では、図４（ｂ）に示すようにその上部に自動回転を行う旨を示すアイコンが表示されるともに「自動画像回転」ボタン２３自体も反転表示される。
【００２６】
画像の自動回転を行うか否かの設定は、画面２０−２が表示されている状態で、「自動画像回転」ボタン２３を押下することで行うが、「自動画像回転」ボタン２３が図４（ａ）に示す状態、つまり、画像の自動回転が設定されていない状態で「自動画像回転」ボタン２３を押下すると、タッチパネルには図５に示す画面２０−３が表示される。
【００２７】
画面２０−３には、「回転しない」ボタン２４と「自動回転する」ボタン２５、設定説明画像２６−１、「閉じる」ボタン２７、「取り消し」ボタン２８が表示されている。「回転しない」ボタン２４は、自動回転を行わないように設定を行うためのボタンであり、画面２０−３では「回転しない」ボタン２４が押下されている状態を示すように反転表示されている。また、設定説明画像２６−１は、「回転しない」ボタン２４の反転表示に合わせ、画像の自動回転を行わない場合の複写の仕上がりイメージを表示している。
【００２８】
この状態から画像の自動回転を行うように設定する場合には、「自動回転する」ボタン２５を押下する。「自動回転する」ボタン２５を押下するとタッチパネルには図６に示す画面２０−４が表示される。
【００２９】
画面２０−４では、「自動回転する」ボタン２５は押下された状態を示すため反転表示され、これに伴って「自動回転する」ボタン２５の左側には画像の自動回転を行った場合の複写の仕上がりイメージを示す設定説明画像２６−２が表示される。
【００３０】
また、この画面２０−４で「回転しない」ボタン２４を押下した場合には、タッチパネルには再び画面２０−３が表示される。つまり、ユーザが「回転しない」ボタン２４や「自動回転する」ボタン２５を押下する毎に、これらのボタンの左側に表示される設定説明画像２６（２６−１、２６−２）が変化し、この設定説明画像を参考にユーザが自動回転するか否かの設定を選択する。
【００３１】
ユーザが選択した設定は、「閉じるボタン」２７を押下して画面２０−２に戻ることで有効となり、画面２０−２では、「自動画像回転」ボタン２３が設定に応じて図４（ａ）または図４（ｂ）のように表示される。
【００３２】
一方、画面２０−３または２０−４で「取り消し」ボタン２８を押下した場合には、画面２０−２で「自動画像回転」ボタン２３を押下する前の設定（画面２０−３、２０−４を開く前の設定）が継続して有効となる。
【００３３】
ここで、図７を参照して画像形成装置１０の自動画像回転設定動作について説明する。
図７は、自動画像回転の設定動作の流れを示すフローチャートである。
【００３４】
画像形成装置１０の電源が投入されると（ステップ１０１）、制御部１１は、設定記憶部１６に記憶されている初期設定（デフォルト若しくは前回の電源遮断時の設定）を取得する（ステップ１０２）。
【００３５】
ここで、取得した初期設定が「自動回転する」となっていれば（ステップ１０３でＹＥＳ）、「自動回転する」ボタン２５をオン、つまり、ユーザにより「自動回転する」ボタン２５が押下された場合と同様に、設定を書き換え「自動回転する」ボタン２５を反転表示させる（ステップ１０４）。ただし、実際にはタッチパネル上に画面２０−４が表示されるわけではなく（表示は画面２０−１）、ユーザ操作により画面２０−２で「自動画像回転」ボタン２３を押下した際に「自動回転する」ボタン２５が反転表示された画面２０−４を表示するような設定を行う。続いて、自動画像回転ボタン２３をオン、つまり、反転表示させ（ステップ１０５）、その上部に「自動回転する」旨を示すアイコン（図４（ｂ）参照）を表示する（ステップ１０６）。なお、これらの表示も直接タッチパネルに表示されるわけではなく、画面２０−１で「お好みコピー」タブ２２を押下した場合にのみ表示される。
【００３６】
一方、ステップ１０２で取得した初期設定が「自動回転しない」となっていれば（ステップ１０３でＮＯ）、「回転しない」ボタン２４をオン（反転表示）に設定し（ステップ１０７）、「自動画像回転」ボタン２３をオフ（反転表示しない）に設定して（ステップ１０８）、その上部に「自動回転しない」旨を示すアイコン（図４（ａ））参照を表示する（ステップ１０９）。なお、これらの表示も自動回転する場合の設定と同様に直接タッチパネルに表示されるわけでなない。
【００３７】
「自動回転する」または「自動回転しない」の設定が終了すると（ステップ１０６または１０９）、ユーザにより設定の変更がされなければ待機し（ステップ１１０でＮＯ）、ユーザにより設定の変更が行われれば（ステップ１１０でＹＥＳ）、ステップ１０３に戻り、再度設定が行われる。ただし、ステップ１１０からステップ１０３に戻った場合のステップ１０４乃至１０６若しくはステップ１０７乃至１０９の各処理においては、ユーザがタッチパネルを操作することにより設定を行っている、つまり、画面２０−３若しくは２０−４を開いているため、設定した表示は直ちにタッチパネル上の画面に反映される。
【００３８】
また、ユーザの操作で変更された設定は、設定記憶部１６に記憶され、その設定内容は上述したように表示・操作部１７のタッチパネルに表示される。
【００３９】
次に、図８を参照して複写時の画像形成装置１０の動作を説明する。
図８は、画像形成装置１０の複写時の動作の流れを示すフローチャートである。
【００４０】
画像形成装置１０が動作（待機）している状態で（ステップ２０１）、ユーザが複写する原稿のセットや複写条件の設定を終え、表示・操作部１７のスタートボタンを押下すると（ステップ２０２でＹＥＳ）、画像読取部１２は原稿のサイズと方向を取得し（ステップ２０３）、その原稿を読み取って画像データに変換し（ステップ２０４）、画像記憶部１４に格納する。ここで、読み取った原稿の方向とユーザにより指定された用紙の方向が不一致で（ステップ２０５でＹＥＳ）、かつ、設定記憶部１６に「自動画像回転する」との設定が記憶されている場合には（ステップ２０６でＹＥＳ）、画像処理部１５が画像記憶部１４に格納されている画像データの補正などの処理に加え、画像データをあらかじめ設定された角度（例えば９０度、他に２７０度など）だけ回転させ（ステップ２０７）、画像形成部１３が該画像データに基づく画像を用紙上に形成（印刷）して（ステップ２０８）、複写を終了する（ステップ２０９）。
【００４１】
一方、読み取った原稿と用紙の方向が一致している場合や（ステップ２０５）、設定記憶部１６に「自動回転しない」との設定が記憶されていた場合には（ステップ２０６でＮＯ）、画像記憶部１４に格納されている画像に対して画像処理部１７が補正などの処理（回転処理は行わない）を施し、画像形成部１３が該画像データに基づく画像を用紙上に形成（印刷）して（ステップ２０８）、複写を終了する（ステップ２０９）。
【００４２】
次に、この発明に係る画像形成装置およびその制御方法の第２の実施例について説明する。
【００４３】
第２の実施例は、上述の実施例における自動画像回転の設定に加え、複写時に自動回転を行う直前にユーザに対して自動画像回転を行うか否かを確認するように構成した例である。このユーザに対する確認は、自動画像回転を行う全ての場合、つまり、原稿と用紙の方向が一致しない場合に行うようにしてもよいが、さらに条件を加えて確認を行うようにしてもよい。
【００４４】
例えば、原稿と用紙の方向が一致せず、かつ、両者のサイズが異なる場合にユーザに対して自動画像回転を行うか否かの確認を行う。この場合には、原稿と用紙のサイズが等しい場合に比べ、ユーザが自動画像回転しないで複写することを望む可能性が高い。
【００４５】
ここで、図９を参照して第２の実施例における画像形成装置１０の複写時の動作を説明する。
図９は、第２の実施例における画像形成装置１０の複写時の流れを示すフローチャートである。なお、このフローチャートは上述の実施例における図８のフローチャートに対応する。
【００４６】
画像形成装置１０が動作（待機）している状態で（ステップ３０１）、ユーザが複写する原稿のセットや複写条件の設定を終え、表示・操作部１７のスタートボタンを押下すると（ステップ３０２でＹＥＳ）、画像読取部１２は原稿のサイズと方向を取得し（ステップ３０３）、その原稿を読み取って画像データに変換し（ステップ３０４）、画像記憶部１４に格納する。ここで、読み取った原稿の方向とユーザにより指定された用紙の方向が不一致で（ステップ３０５でＹＥＳ）、かつ、設定記憶部１６に「自動画像回転する」との設定が記憶されている場合（ステップ３０６でＹＥＳ）、原稿と用紙のサイズが異なっていれば（ステップ３０７でＹＥＳ）、後述する画面をタッチパネル上に表示してユーザに対して画像回転を行うか否かを確認する（ステップ３０８）。確認の結果、ユーザが画像の回転を行うと指定すれば（ステップ３０９でＹＥＳ）、画像処理部１５が画像記憶部１４に格納されている画像データの補正などの処理に加え、画像データをあらかじめ設定された角度（例えば９０度、他に２７０度など）だけ回転させ（ステップ３１０）、画像形成部１３が該画像データに基づく画像を用紙上に形成（印刷）して（ステップ３１１）、複写を終了する（ステップ３１２）。また、原稿と用紙のサイズが一致していた場合には（ステップ３０７でＮＯ）、上述の実施例と同様にユーザに対して確認を求めずに画像を回転して（ステップ３１０）、印刷を行い（ステップ３１１）、複写を終了する（ステップ３１２）。
【００４７】
一方、ステップ３０８での確認の結果、ユーザが画像回転を行わないと指定した場合や（ステップ３０９でＮＯ）、読み取った原稿と用紙の方向が一致している場合（ステップ３０５）、設定記憶部１６に「自動回転しない」との設定が記憶されていた場合には（ステップ３０６でＮＯ）、画像記憶部１４に格納されている画像に対して画像処理部１７が補正などの処理（回転処理は行わない）を施し、画像形成部１３が該画像データに基づく画像を用紙上に形成（印刷）して（ステップ３１１）、複写を終了する（ステップ３１２）。
【００４８】
ここで、ステップ３０８でタッチパネルに表示する確認画面について説明する。
ユーザに画像の回転を行うか否かの確認を行う際には、図１０に示す画面３０−１が表示される。画面３０−１では、「回転しない」ボタン３１と「自動回転する」ボタン３２が表示され、「自動回転する」ボタン３２が選択された反転状態となっている。このとき、自動回転に関する説明のためのイメージ３３−１と説明文３４−１が同時に表示され、これらを見たユーザが自動回転を続行する場合には、図示しないスタートボタンを押下することで処理が続行される。
【００４９】
また、画面３０−１で「回転しない」ボタン３１を押下すると、タッチパネルに表示される画面は図１１に示す画面３０−２に変わる。画面３０−２では、「回転しない」ボタン３１が選択された反転状態となっており、自動回転を行わない場合の仕上がりイメージ３３−２と注意文３４−２が表示されている。この状態でユーザが図示しないスタートボタンを押下すれば、画像の回転を行わずに複写処理を続行し、「自動回転する」ボタン３２を押下すれば画面３０−１に戻る。
【００５０】
なお、画面３０−１および３０−２で表示するイメージ３３−１、３３−２は、あらかじめ準備したイメージ画像を表示するが、原稿を読み込んで得た画像データ（画像記憶部１４に格納）を縮小して、実際の仕上がりを表示するようにしてもよい。
【００５１】
【発明の効果】
以上説明したように、この発明によれば、原稿と用紙の方向が異なる場合に、原稿を読み取って得た画像を回転するか否かをユーザが設定できるように構成したので、容易にユーザが所望する複写結果を得ることができる。
【００５２】
また、画像回転を行うように設定している場合に、複写を行う直前にユーザに対して確認を求めるようにしたので、ユーザの誤操作による用紙の無駄を省くことができるとともに、確認を行うための条件を別途設定することで操作性が向上する。
【図面の簡単な説明】
【図１】画像形成装置の構成を示すブロック図。
【図２】表示画面例（１）。
【図３】表示画面例（２）。
【図４】「自動画像回転」ボタンおよびアイコンを示した図。
【図５】表示画面例（３）。
【図６】表示画面例（４）。
【図７】自動画像回転の設定動作の流れを示すフローチャート。
【図８】画像形成装置１０の複写時の動作の流れを示すフローチャート。
【図９】第２の実施例における画像形成装置１０の複写時の流れを示すフローチャート。
【図１０】第２の実施例における表示画面例（１）。
【図１１】第２の実施例における表示画面例（２）。
【図１２】従来の画像形成装置による複写結果の例を示した図。
【符号の説明】
１０    画像形成装置
１１    制御部
１２    画像読取部
１３    画像形成部
１４    画像記憶部
１５    画像処理部
１６    設定記憶部
１７    表示・設定部
２０−１、２０−２、２０−３、２０−４    画面
２１    「基本コピー」タブ
２２    「お好みコピー」タブ
２３    「自動画像回転」ボタン
２４    「回転しない」ボタン
２５    「自動回転する」ボタン
２６、２６−１、２６−２    設定説明画像
２７    「閉じる」ボタン
２８    「取り消し」ボタン
３０−１、３０−２    画面
３１    「回転しない」ボタン
３２    「自動回転する」ボタン
３３−１、３３−２    イメージ
３４−１、３４−２    文
【図１】
0003785826.tif 000002
【図２】
0003785826.tif 000003
【図３】
0003785826.tif 000004
【図４】
0003785826.tif 000005
【図５】
0003785826.tif 000006
【図６】
0003785826.tif 000007
【図７】
0003785826.tif 000008
【図８】
0003785826.tif 000009
【図９】
0003785826.tif 000010
【図１０】
0003785826.tif 000011
【図１１】
0003785826.tif 000012
【図１２】
0003785826.tif 000013